(57)【要約】吊るされた方向反転手段（１）を通過し得るロープ（２）によって構成されるトレーニング器具であって、ロープの第一部分（２’）が、方向反転手段の第一の側からぶら下がるように配置され、取っ手の輪（３）が、該ロープの第一部分（２’）の一端部（２’’）に備えられており、かつ、ロープの第二部分（２’’’）が、方向反転手段の他方の側からぶら下がるように配置され、かつ、「クリートロック」と呼ばれるキー溝タイプのロック装置（４、４’）と解放可能な係合をなすように設計されている。ロック装置（４）はロープの第一部分に固定されており、方向反転手段（１）は、ビーム、バー、ガイドチューブ、ガイドチャンネル、プーリーおよびサスペンションブラケットからなる群より選ばれる。
2005537082.tif 000002
【特許請求の範囲】
【請求項１】
吊るされた方向反転手段（１）を通過し得るロープ（２）によって構成されるトレーニング器具であって、
ロープの第一部分（２’）が、方向反転手段の第一の側からぶら下がるように配置され、取っ手の輪（２’’）が、該ロープの第一部分（２’）の一端部に備えられており、かつ、
ロープの第二部分（２’’’）が、方向反転手段の他方の側からぶら下がるように配置され、かつ、「クリートロック」と呼ばれるキー溝タイプ（４’’）のロック装置（４）と解放可能な係合をなすように設計されており、
該ロック装置（４）が、ロープの第一部分（２’）に取り付けられていることを特徴とするトレーニング器具。
【請求項２】
ロック装置（４）が、ロープの第一部分（２’）のための保持スロットまたはクランプ（５、５’）を具備していること、および、
ロック装置（４）が、ロープの第二部分のためのガイド（７；８）を有しており、該ガイドは、キー溝（４’’）を備えたロック部分（４’）に関連しており、該ガイドが、例えば、ガイドベルト（７）またはガイドフラップ（８）であって、ロック部分（４’）の開口部の少なくとも一部を覆っていること、
を特徴とする、請求項１記載の器具。
【請求項３】
キー溝（４’’）とロープの第二部分（２’’’）との係合を調節するために該ロープ部分（２’’’）が操作される場合に、キー溝（４’’）の外へ該ロープの第二部分（２’’’）が移動するのを制限するために、ガイド（７；８）が配置されていることを特徴とする、請求項２に記載の器具。
【請求項４】
ガイド（７；８）が伸縮自在に曲がるように作られていることを特徴とする、請求項２または３に記載の器具。
【請求項５】
ロック装置（４）のキー溝部分（４’、４’’）がその上端に、ロープの第二部分（２’’’）を側方挿入するための、ロープ挿入溝を有していること、および、
上記ガイド（７；８）が、ロープの第二部分（２’’’）をロック装置（４）へ挿入した後に配置されるように設計され、それが、ロック装置（４）のロック部分（４’）に対してロープの第二部分（２’’’）が側方へ移動することを制限するためのものであること、
を特徴とする、請求項２、３または４に記載の器具。
【請求項６】
請求項１〜５のいずれか１つ以上に記載された器具と協働するための、吊るされた方向反転手段であって、
方向反転手段が、Ｕ形構造（１３）の形態となっているサスペンションブラケットであり、そのＵの腕（１３、１３’）が、それぞれの自由端部において鉤形に曲げられていること、
該Ｕ形ブラケットの腕（１３、１３’）同士の間の距離が、調節可能であり、好ましくは、ドアの上部ドアフレームの化粧縁（１２、１２’）から吊るすためのものであること、および、
該２つの腕のそれぞれが、方向反転手段を形成するための、ロープ（２）のための穴のあいた部分（１３’’’、１３’’’’）を有していること、
を特徴とする、前記方向反転手段。
【発明の詳細な説明】
【技術分野】
【０００１】
本発明は、吊るされた方向反転手段を通過し得るロープによって構成され、ロープの第一部分が、方向反転手段の第一の側からぶら下がるように配置され、取っ手の輪が、該ロープの第一部分の一端部に備えられており、かつ、ロープの第二部分が、方向反転手段の他方の側からぶら下がるように配置され、かつ、「クリートロック(Cleatlock)」と呼ばれるキー溝タイプのロック装置と解放可能な係合をなすように設計された、トレーニング器具に関するものである。
【背景技術】
【０００２】
この種の器具は、ノルウェー特許１６１４１８によって知られている。その公知の器具は、互いに独立した２本のロープを有しており、それらロープは、それぞれ、方向反転(direction reversal)手段と、ロック装置と、取っ手の輪(handle loop)とを有し、かつ、該方向反転手段同士は一定の距離にて間隔をおいて離れている。
【０００３】
しかしながら、製造がより安価であると共に特定の場合に組み立てるのがより簡易なトレーニング器具、そして、個人のニーズに沿って、ロープおよび取っ手の輪を１つだけあるいは２つ以上設置することができるトレーニング器具を知見することが望まれてきた。
【発明の開示】
【０００４】
本発明によれば、上記の器具は、ロック装置がロープの第一部分に取り付けられていることを特徴とし、かつ、方向反転手段が、ビーム、バー、ガイドチューブ、ガイドチャンネル、プーリーおよびサスペンションブラケットからなる群より選ばれていることを特徴としている。
【０００５】
本発明の器具の別の実施態様によれば、方向反転手段はサスペンションブラケットであり、ブラケットはＵ形構造の形態で作られており、そのＵの腕は、それぞれの自由端部において鉤形に曲げられている。Ｕ形ブラケットの腕同士の間の距離は調節可能であってもよく、好ましくはドアの上部ドアフレームの化粧縁（アーキトレーブ）からつるすためのものであり、また該腕は、それぞれに、該方向反転手段を形成するため、ロープのための穴のあいた部分を有していてもよい。
【０００６】
本発明の１つの実施態様によれば、ロック装置には、ロープの第一部分のための保持スロットまたはクランプが備えられており、かかるロック装置は、クリートロック部分に接続したガイドを有している。ガイドは、例えば、キー溝部分の開口部の少なくとも一部を覆っているガイドベルトまたはガイドフラップである。
【０００７】
ガイドの目的は、キー溝とロープとの係合を調節するためにロープの第二部分が操作される場合に、クリートロックから外れるロープの移動、即ち、ロック部分に対して横切ることをも制限することである。ガイドが伸縮自在に曲がることは有利である。
【０００８】
別の態様によれば、ロック装置のクリートロック部分は、その上端に、ロープの第二部分を側方(sideway)挿入するためのロープ挿入溝を有しており、前記ガイドは、ロープの第二部分をロック装置へ挿入した後に配置されるように設計されており、これは、ロック装置のロック部分に対して該ロープの部分が側方へ移動することを制限するためである。
【発明を実施するための最良の形態】
【０００９】
本発明を添付した図面を参照して詳細に説明する。
【００１０】
図１は方向反転手段１を示す。方向反転手段は、例えば、ビーム、バー、プーリーなどであって、支持体１’に固定されており、該支持体は、例えば、フレーム構造またはビルディング構造（例えば天井やドアの開口部など）であり、該方向反転手段を越えてロープ２が通過しており、ロープは、第一部分２’において、方向反転手段の一方の側にぶら下がっており、一方の端部２’’において、取っ手の輪３となっており、該取っ手の輪より上へ幾分か離れたところでロック装置４に固定されており、そしてロープは、第二端部２’’’（方向反転手段の他方の側にぶら下がっている）において、ロック装置４にあるキー溝タイプ（「クリートロック」と呼ばれる）のロック部分４’と解放可能に係合している。ロープ部分２’は、例えば、保持スロット５、５’などの手段によってロック装置に取り付けることができるが、当然ながら、粘着剤、クランプ、リベットなどの手段によって取り付けることもできる。有利なことには、ロック装置４には、ロック部分４’の上方にガイドピン６があり、これは、ロープ部分２’’’が簡単にロック部分４’から引き抜かれないことを確実にするためのものである。ガイド（例えば、ガイドベルト７またはガイドフラップ８の形態となっており、好ましくは、スプリング力に抗して外側へ回転する）は、ロック部分４’の開口部の少なくとも一部を覆うように意図されているので、ロープ部分２’’’がループ３の上方または下方への調節のために側方へ引張られた場合に、ロープ部分２’は、ロック装置４から出るまでは、引き抜かれる危険性がない。
【００１１】
ロープ部分２’’’が解放される場合、該ロープ部分はロック部分４’の内側へスライドし、キー溝４’’によってそこにくさび留め(wedging)されることによって保持される（図５参照）。
【００１２】
図２は、本発明による器具が、どのようにしてドアの上部ドアフレームの化粧縁から吊り下げられ得るかを示しており、図３はサスペンションブラケットをより詳細に示している。図２において、上部ドアフレーム部材は参照番号９で、ドア下方の横材(door sill)は番号１０で、壁の構造体は番号１１で、および上部の化粧縁（水平）は番号１２、１２’で示されている。サスペンションの取付け具（fitting)、即ちブラケット１３は、図３ａおよび図３ｂに示されているように、２つの互いに可動な部分１３’、１３’’からなり、そのそれぞれがロープ１４（図１のロープ２に対応する）の挿入のための開口部１３’’’を有している。スライディングガイド１５、１５’が、ぞれぞれ開口部の底に具備されてもよい。その代りとして、該スライディングガイドは、ローラーまたはプーリーの形態であってもよい（図示せず）。サスペンションブラケットが、類似のＵ形を有し、２つの腕を有することも可能であり、この２つの腕が、例えば、伸縮自在な様にお互いから離れるように曲げられて、純スプリング力によって化粧縁をつかむことができるものであってもよい。
【００１３】
図４ａは、例えば、２つまたは３つのユニット１６、１７、１８（本発明に従って、ロープと、それぞれのロック装置と、それぞれの輪からなる）が、どのようにして共通の方向反転手段１９（例えば、バーなど）から吊り下げられ得るか、および、該方向反転手段が、フック２２、２３（例えば、６０ｃｍまたは１２０ｃｍ間隔をあけたもの）を介してどこにマウントされているか（例えば天井２０など）を示している。
【００１４】
かかるユニットが３つ示されているが、必要に応じてより多くのユニットまたはより少ないユニットを吊り下げることができる。当然に、図４ｂに示されるように、それぞれユニット２４ｍおよび２５ｎに取り付けるためのユニットｍおよびｎをそれぞれ有する２つの平行な支持体を有することも可能である。ここで、ｍ＝１、２、３．．．、およびｎ＝１、２、３．．．であり、また、ｍ＝ｎまたはｍ≠ｎである。図示したように、ロープはビームまたはバーの周囲の一部を周って通過している。
【００１５】
図５は、図１に関してより詳細に示したものであり、図５と図６の違いは、図５がガイドベルト７を示しているのに対し、図６はこのベルトがガイドフラップ８に置き換わっていることである。ロープ２’’’が初めてロック装置４のロック部分４’に通されるとき、ベルトはロック装置４から外されるが、その後、その場所に入る。ガイドフラップ８を用いる場合、フラップは、装置４上のピボット点２１について、側方および上方に（図においては右に）ターンし、それによって、ロープ２’’’は容易にロック部分の内側に位置し得、そこでフラップは図示した位置に戻る。フラップ８はスプリングの負荷を受けるもの(spring-loaded)であってもよいが（図示せず）、ピボットマウンティングがフラップを容易に回転させることができるなら、特にフラップが適合した重心を有するなら、スプリング負荷は不要である。
【図面の簡単な説明】
【００１６】
【図１】図１は、本発明による第一の形態(mode)の使用における、器具の一態様を示している。
【図２】図２は、サスペンションブラケットと協働した、第二の形態の使用における実施態様の１つを示している。
【図３】図３ａおよび図３ｂは、図２で示したサスペンションブラケットの詳細を示している。
【図４】図４ａは、第三の形態の使用の器具を示し、図４ｂはその変形使用を示している。
【図５】図５は、当該器具の肝要部分(integral part)であるロック装置の詳細を示している。
【図６】図６は、図２のロック装置を変更したものを示している。
【図１】
2005537082.tif 000003
【図２】
2005537082.tif 000004
【図３】
2005537082.tif 000005
【図４】
2005537082.tif 000006
【図５】
2005537082.tif 000007
【図６】
2005537082.tif 000008
【国際調査報告】
2005537082.tif 000009
2005537082.tif 000010
2005537082.tif 000011